(57)【要約】      （修正有）【課題】特に所望のトルクを設定してボルトやナットなどを締め付けたり、緩めたりする作業工具を提供する。【解決手段】トルク作業工具は、表示穴を有する柄部本体１０と、チューブ２１を備えるトルク装置２０と、内端がチューブ２１に挿設され、外端が柄部本体１０を通って外部へ突出するヘッド部材３０と、チューブ２１に環装されると共に、表示穴１２と対応するように柄部本体１０の内部に配置され、チューブ２１に環装されるように次々に伝動して加算する３つのダイヤル４２と、ダイヤル４２と対応する箇所に取り付けられる軸と、隣り合う２つのダイヤル４２に連動するように噛合される２つの伝動輪と、チューブ２１と連動してダイヤル４２が駆動するように、チューブ２１に環装される駆動輪を備える数値装置４０と、柄部本体１０に取り付けられ、その中心に、外部に突出するようにヘッド部材３０が貫設される調整リング５０と、を有する。【選択図】図２
0003203855.tif 000002
【実用新案登録請求の範囲】
【請求項１】
中空状の管体であって外周面に表示穴を形成した柄部本体と、
チューブを備えるトルク装置と、
前記トルク装置に着脱可能に取り付けられると共に、前記チューブに内端が挿設され、前記柄部本体を通って外端が外部へ突出するヘッド部材と、
前記トルク装置のチューブに環装されると共に、前記表示穴と対応するように柄部本体の内部に配置されて前記チューブに環装されるように次々に伝動して加算する、少なくとも２つのダイヤルと、前記柄部本体の内壁におけるダイヤルと対応する箇所に取り付けられる軸と、前記軸に回転可能に環装されると共に、隣り合う２つのダイヤルに連動するように噛合される、少なくとも１つの伝動輪と、前記チューブと連動してダイヤルが駆動するように前記チューブに環装される駆動輪とを備える数値装置と、
前記チューブと連動するように回転可能に柄部本体に取り付けられ、その中心に、外部に突出するようにヘッド部材が貫設される調整リングと、を有することを特徴とするトルク作業工具。
【請求項２】
前記少なくとも２つのダイヤルのうちの一側のダイヤルの端面に環状の従動歯が設けられ、
前記駆動輪における、前記ダイヤルに面する端面に環状の駆動歯が設けられ、
該駆動歯が従動歯に噛合されることを特徴とする請求項１に記載のトルク作業工具。
【請求項３】
前記チューブの外周面に嵌合溝が形成され、
前記数値装置は、バネ及び止めリングを有し、該バネの一端が柄部本体の内壁に当接し、他端が隣り合うダイヤルに当接し、該止めリングがトルク装置の嵌合溝に嵌合されることを特徴とする請求項２に記載のトルク作業工具。
【請求項４】
前記調整リングは、ボルトが貫設されることによりチューブに締め付けられ、前記チューブと連動することを特徴とする請求項３に記載のトルク作業工具。
【請求項５】
前記駆動輪は、相対する両側にそれぞれ固定柱が貫設されてチューブに挿し込まれることにより、連動するようにチューブに環装されることを特徴とする請求項４に記載のトルク作業工具。
【請求項６】
前記柄部本体の後端近傍に滑り止め部が設けられることを特徴とする請求項５に記載のトルク作業工具。
【請求項７】
前記数値装置は、３つのダイヤルと２つの伝動輪を有することを特徴とする請求項１乃至６の何れか１項に記載のトルク作業工具。
【考案の詳細な説明】
【技術分野】
【０００１】
本考案は、特に所望のトルクを設定してボルトやナットなどを締め付けたり、緩めたりする作業工具に関するものである。
【背景技術】
【０００２】
トルクレンチやトルクドライバーなどのトルク作業工具は、所望のトルクを設定してボルトやナットを締め付けたり緩めたりするものである。
図６に示すように、既存のトルク作業工具８０は、内部に収容空間が形成されると共に、その一端近傍の外周面に表示穴８１０が形成される柄部棒体８１と、この柄部棒体８１の収容空間に配置され、メインスケール部分が表示穴８１０に対応するよう表示されるトルク装置と、このトルク装置と連結するように、着脱可能に柄部棒体８１の先端に挿設されるヘッド８２と、トルク装置と連結するように、回転可能に柄部棒体８１の後端に取り付けられ、外周面にサブスケールが設けられる調整リング８３を有し、その調整リング８３を回転させれば、トルク装置を調整することができる。
【０００３】
既存のトルク作業工具を使用する時は、まず、調整リング８３を回転させて表示穴８１０に示したメインスケールを確認すると共に、サブスケールを確認し、そのメインスケール及びサブスケールの調整が完了すると、トルク作業工具を使ってボルトやナットを所望のトルクで締め付けたり、緩めたりすることができる。
【考案の概要】
【考案が解決しようとする課題】
【０００４】
しかしながら、既存のトルク作業工具は、トルクを設定する時、まず、メインスケールを一の位になるように調整してから調整リング８３を回転させてサブスケールを十分の１の位または百分の１の位になるように調整する必要であるので、トルクの設定が面倒であると共に、数値が読みにくいという問題があった。
【課題を解決するための手段】
【０００５】
本考案に係るトルク作業工具は、
中空状の管体であって外周面に表示穴を形成した柄部本体と、
チューブを備えるトルク装置と、
前記トルク装置に着脱可能に取り付けられると共に、前記チューブに内端が挿設され、前記柄部本体を通って外端が外部へ突出するヘッド部材と、
前記トルク装置のチューブに環装されると共に、前記表示穴と対応するように柄部本体の内部に配置されて前記チューブに環装されるように次々に伝動して加算する、少なくとも２つのダイヤルと、前記柄部本体の内壁におけるダイヤルと対応する箇所に取り付けられる軸と、前記軸に回転可能に環装されると共に、隣り合う２つのダイヤルに連動するように噛合される、少なくとも１つの伝動輪と、前記チューブと連動してダイヤルが駆動するように前記チューブに環装される駆動輪とを備える数値装置と、
前記チューブと連動するように回転可能に柄部本体に取り付けられ、その中心に、外部に突出するようにヘッド部材が貫設される調整リングと、を有するものである。
【０００６】
かかるトルク作業工具において、
前記少なくとも２つのダイヤルのうちの一側のダイヤルの端面に環状の従動歯が設けられ、
前記駆動輪における、ダイヤルに面する端面に環状の駆動歯が設けられ、この駆動歯が従動歯に噛合されることが好ましい。
【０００７】
かかるトルク作業工具において、
前記チューブの外周面に嵌合溝が形成され、
前記数値装置は、バネ及び止めリングを有し、該バネの一端が柄部本体の内壁に当接し、他端が隣り合うダイヤルに当接し、該止めリングがトルク装置の嵌合溝に嵌合されることが好ましい。
【０００８】
かかるトルク作業工具において、
前記調整リングは、ボルトが貫設されることによりチューブに締め付けられ、チューブと連動することが好ましい。
【０００９】
かかるトルク作業工具において、
前記駆動輪は、相対する両側にそれぞれ固定柱が貫設されてチューブに挿し込まれることにより、連動するようにチューブに環装されることが好ましい。
【００１０】
かかるトルク作業工具において、
前記柄部本体の後端近傍に滑り止め部が設けられることが好ましい。
【００１１】
かかるトルク作業工具において、
前記数値装置は、３つのダイヤルと２つの伝動輪を有することが好ましい。
【考案の効果】
【００１２】
本考案に係るトルク作業工具の構造によれば、調整リングを回動させれば、簡単な調整でトルクを所望の数値に設定することができ、また、それらのダイヤルが次々に伝動して加算し、柄部本体の表示穴に設定したトルクの数値がはっきりと表示されることから、精確に調整でき、且つチェックすることができるので、使用上非常に利便性がよく、実用性も高い。
【図面の簡単な説明】
【００１３】
【図１】本考案に係るトルク作業工具にドライバー型を用いた場合の斜視図である。
【図２】本考案に係るトルク作業工具の部分断面斜視図である。
【図３】本考案に係るトルク作業工具の部分断面分解斜視図である。
【図４】本考案に係るトルク作業工具の前面視部分拡大断面図である。
【図５】本考案に係るトルク作業工具の後面視部分拡大断面図である。
【図６】既存のトルク作業工具の斜視図である。
【考案を実施するための形態】
【００１４】
以下、添付図面を参照して、本考案の好適な実施の形態を、詳細に説明する。
尚、下記実施例は、本考案の好適な実施の形態を示したものにすぎず、本考案の技術的範囲は、下記実施例そのものに何ら限定されるものではない。
【００１５】
図１乃至図３に示すように、本考案に係るトルク作業工具は、柄部本体１０と、トルク装置２０と、ヘッド部材３０と、数値装置４０と、調整リング５０を有する。
その内、柄部本体１０は、中空状の管体であり、後端近傍の外周面に滑り止め部１１が設けられると共に、先端近傍の外周面に表示穴１２が形成され、前記トルク装置２０は、柄部本体１０の内部に配置され、既存のトルク装置であってもよく、トルクを調整するための如何なる構造であってもよい。
また、該トルク装置２０における、先端近傍にチューブ２１を有し、該チューブ２１の先端近傍の外周面に環状の嵌合溝２１０が形成される。
【００１６】
前記ヘッド部材３０は、着脱可能にトルク装置２０に取り付けられ、その内端がチューブ２１に挿設されると共に、外端が柄部本体１０を通って外部へ突出する。
尚、そのヘッド部材３０は、実際の作業時に必要に応じて、ドライバービットやレンチビットなどの工具ヘッドを自由に交換することができる。
【００１７】
図２乃至図５に示すように、前記数値装置４０は、トルク装置２０のチューブ２１に環装され、且つ、表示穴１２と対応するように柄部本体１０の内部に配置され、バネ４１と、３つのダイヤル４２と、２つの軸４３と、伝動輪４４と、駆動輪４５と、止めリング４６を有する。
【００１８】
そのうち、バネ４１の一端は柄部本体１０の内壁に当接すると共に、他端は隣り合うダイヤル４２に当接し、それらのダイヤル４２はそれぞれ並設するようにチューブ２１に環装され、外側のダイヤル４２から内側のダイヤル４２へ次々に伝動して加算し、そのうちの内側のダイヤル４２がバネ４１に当接され、外側のダイヤル４２の外端面に環状の従動歯４２０が設けられる。
また、前記軸４３は、柄部本体１０の内壁における、ダイヤル４２と対応する箇所に長手方向に沿って取り付けられる。
【００１９】
前記各伝動輪４４は、回転可能に軸４３に環装されると共に、隣り合う２つのダイヤル４２に連動するように噛合され、前記駆動輪４５は、相対する両側にそれぞれ固定柱４５０が貫設されてチューブ２１に挿し込まれることにより、連動するようにチューブ２１に環装されると共に、該ダイヤル４２に面する端面に環状の駆動歯４５１が設けられ、該駆動歯４５１はダイヤル４２の従動歯４２０に噛合される。
この構成によれば、その駆動輪４５を回転させると、駆動歯４５１が従動歯４２０に噛合してダイヤル４２を回動させることができる。
尚、前記止めリング４６は、トルク装置２０の嵌合溝２１０に取り付けられ、駆動輪４５及びダイヤル４２を保持してチューブ２１から脱出することを防ぐ。
【００２０】
前記調整リング５０は、回転可能に柄部本体１０の先端に取り付けられ、その中心にヘッド部材３０が貫設して外部に突出し、更に、該調整リング５０は、ボルト５１が貫設され、チューブ２１の外周面を締め付けることにより、チューブ２１と連動する。
【００２１】
本考案に係るトルク作業工具において、そのトルクを設定する時は、調整リング５０を回転させてチューブ２１を回転させ、そのチューブ２１が回転すると、トルク装置２０が調整されながらトルクの数値を柄部本体１０の表示穴１２に表示すると共に、駆動輪４５が回転して駆動歯４５１を介して外側のダイヤル４２の従動歯４２０に噛合しながら回転する。
そして、そのチューブ２１の回転回数によって、外側のダイヤル４２から内側のダイヤル４２に伝動して加算することができる。
この構成によれば、トルクの数値が柄部本体１０の表示穴１２に表示されるので、使用者は簡単にトルクの数値をチェックすることができる。
【００２２】
本考案に係るトルク作業工具を有すれば、その調整リング５０を回動させると、トルクを簡単に調整して所望の数値に設定することができ、また、それらのダイヤル４２が次々に伝動して加算し、柄部本体１０の表示穴１２に設定したトルクの数値が表示されることから、精確に調整しながらチェックすることができるので、使用上の利便性がよく、実用性も高い。
【符号の説明】
【００２３】
１０   柄部本体
１１   滑り止め部
１２   表示穴
２０   トルク装置
２１   チューブ
２１０ 嵌合溝
３０   ヘッド部材
４０   数値装置
４１   バネ
４２   ダイヤル
４２０ 従動歯
４３   軸
４４   伝動輪
４５   駆動輪
４５０ 固定柱
４６   止めリング
５０   調整リング
５１   ボルト
【図１】
0003203855.tif 000003
【図２】
0003203855.tif 000004
【図３】
0003203855.tif 000005
【図４】
0003203855.tif 000006
【図５】
0003203855.tif 000007
【図６】
0003203855.tif 000008